(57)【要約】      （修正有）【課題】便座に部品を追加することなく、便蓋・便座の開閉を行う補助具を提供する。【解決手段】便座１２０を引っ掛けるつばと把持部を備えた可動する把持部品１５０と、把持部品１５０を可動式に結合し便蓋１１０に固定されるホルダーとで構成され、把持部品１５０が可動することにより、便蓋１１０と便座１２０が連結・解放され、便座１２０を直接触らずに開閉することを可能にした。【選択図】図３
2015008900.tif 000002
【特許請求の範囲】
【請求項１】
便座を引っ掛けるつばと把持部を備えた可動する把持部品と、前記把持部品を可動式に結合し便蓋に固定されるホルダーと、を備えたことを特徴とする便蓋・便座開閉具。
【請求項２】
便座を引っ掛けるつばが可動するつば部品と、前記つば部品を可動式に結合し便蓋に固定され把持部となるホルダーと、を備えたことを特徴とする便蓋・便座開閉具。
【請求項３】
請求項１記載の便蓋・便座開閉具が備えられた便蓋であって、前記ホルダーが便蓋と一体となっていることを特徴とする便蓋。
【請求項４】
請求項２記載の便蓋・便座開閉具が備えられた便蓋であって、前記ホルダーが便蓋と一体となっていることを特徴とする便蓋。
【発明の詳細な説明】
【技術分野】
【０００１】
本発明は、洋式便器の便蓋・便座を直接触らずに上下に開閉するための便蓋・便座開閉具、および、前記便蓋・便座開閉具が備わった便蓋に関する。
【背景技術】
【０００２】
従来、手動タイプの便蓋・便座開閉装置の多くは便蓋・便座の其々に取手やつまみを直接、貼設または係合したり、便座カバーに把持部を設けている。
（例えば、特許文献１および特許文献２参照）
【先行技術文献】
【特許文献】
【０００３】
【特許文献１】特開２０１１−１６１１９５号公報
【特許文献２】特開２００９−１２５３７４号公報
【発明の概要】
【発明が解決しようとする課題】
【０００４】
しかしながら、従来の方法は以下のような問題を有している。まず、便座に直接部品をに貼設または係合するため、接合部のすきまが不潔になりやすく、清掃も行い難くなる。さらには、保温機構付きの便座の場合、そもそも温度対策である便座カバーは不要となり便座カバーに把持部を設ける方法は取れない。両面テープでの取手固定も高温による両面テープの粘着力低下が問題となる。
【０００５】
そこで、本発明は上記課題に鑑みてなされたものであり、便座に直接または間接的に部品を設けることなく、さらには便蓋も直接触らずに開閉する装置を提供することを目的とする。
【課題を解決するための手段】
【０００６】
そこで本発明は上記課題を解決するためになされたものであり、便座を引っ掛けるつばと把持部を備えた可動する把持部品と、前記把持部品を可動式に結合し便蓋に固定されるホルダーとで構成され、前記把持部品が可動することにより、便蓋が便座を引っ掛けて保持したり解放することができる機能を備えたことを特徴とする。
【発明の効果】
【０００７】
以上の構成により、本発明は以下の効果を有するものである。すなわち、本装置は便座が便蓋側に固定された状態で便蓋と便座の両方を開閉することができるため、便座に直接または間接的に把持部を必要とせず、便座自体には何も追加することがない。従って、便座は追加部品による衛生度の低下もなく、掃除のやり易さも変わらない。また、把持部追加による服の引っ掛かりもなく、便座カバーを使う場合も本装置での影響はない。さらに、本装置のみで、便座の開閉だけでなく、便蓋の開閉も行うことができる。
【図面の簡単な説明】
【０００８】
【図１】本発明の形態１に係る便蓋・便座開閉具の実施例を示す上面図である。
【図２】本発明の形態１に係る便蓋・便座開閉具の実施例を示す正面図である。
【図３】本発明の形態１に係る便蓋・便座開閉具の実施例を示す斜視図である。
【図４】本発明の形態１に係る便蓋・便座開閉具の実施例を示す斜視図である。
【図５】本発明の形態１に係る便蓋・便座開閉具の実施例を示す斜視図である。
【図６】本発明の形態１に係る便蓋・便座開閉具の実施例を示す斜視図である。
【図７】本発明の形態１に係る便蓋・便座開閉具を表す動作図である。
【図８】本発明の形態１に係る便蓋・便座開閉具のホルダーの詳細を示す斜視図である。
【図９】本発明の形態２に係る便蓋・便座開閉具の実施例を示す斜視図である。
【実施例】
【０００９】
以下、本発明の実施例について図面を参照して説明する。
【００１０】
（実施の形態1）
本実施の形態は、請求項１の実施例である。
【００１１】
図１は、本発明の形態１に係る便蓋・便座開閉具の実施例を示す上面図である。便蓋・便座開閉具１６０が便蓋１１０の上面の縁に固定されている。
【００１２】
図２は、本発明の形態１に係る便蓋・便座開閉具の実施例を示す正面図である。図２において、便蓋１１０、便座１２０は閉じられた状態にある。便蓋１１０の上面の縁にホルダー１４０が固定され、ホルダー１４０に可動式で連結された把持部品１５０のつば１５２が便座１２０の下面と便器１３０の上面のすきまに位置するように構成されている。可動式の把持部品１５０は、奥に差し込まれた状態にある。
【００１３】
図３は、本発明の形態１に係る便蓋・便座開閉具の実施例を示す斜視図であり斜め前方からみたもので、図４は、本発明の形態１に係る便蓋・便座開閉具の実施例を示す斜視図であり斜め後方からみたものである。便座１２０は把持部品１５０のつば１５２に引っ掛けられているため、便座１２０は便蓋１１０と連動して開閉する。把持部品１５０の把持部１５１を持って上下に動かすことで、便蓋１１０と便座１２０を直接触れることなく、開閉することができる。
【００１４】
図５は、本発明の形態１に係る便蓋・便座開閉具の実施例を示す斜視図であり斜め前方からみたもので、図６は、本発明の形態１に係る便蓋・便座開閉具の実施例を示す斜視図であり斜め後方からみたものである。把持部品１５０は、可動式で矢印方向に引かれ、便座１２０は把持部品１５０のつば１５２に引っ掛かっていないため、便蓋１１０のみが開閉する。把持部品１５０の把持部１５１を持って上下に動かすことで、便座１２０は閉じたまま便蓋１１０のみを直接触れることなく、開閉することができる。
【００１５】
次に、本発明の便蓋・便座開閉具１６０の具体的な構造について説明する。図７は、本発明の形態１に係る便蓋・便座開閉具を表す動作図である。
【００１６】
図７（ａ）において、把持部品１５０は把持部１５１と、つば１５２と、ホルダーとの結合部１５３と、から構成される。ホルダー１４０に可動式で結合された把持部品１５０は、把持部１５１を矢印方向に押し込まれると、つば１５２は便座１２０の下面と便座１３０の間に位置することとなり、便座１２０はつば１５２に引っ掛かり、その状態で把持部１５１を上下にうごかすと、便蓋１１０と便座１２０は共に開閉される。
【００１７】
図７（ｂ）において、ホルダー１４０に可動式で結合された把持部品１５０は、把持部１５１を矢印方向に引かれると、つば１５２は便座１２０の外縁より外に位置することとなり、把持部１５２を上下にうごかすと、便座１２０はつば１５２に引っ掛かることなく、便蓋１１０のみが開閉される。
【００１８】
図８は、本発明の形態１に係る便蓋・便座開閉具のホルダー１４０の詳細を示す斜視図である。ホルダー１４０は、把持部品１５０を可動式に結合できるように、把持部品１５０のホルダーとの結合部１５３が入り込む、溝１４１と、便蓋１１０に固定される平面部を持つ部分と、から構成される。
【００１９】
（実施の形態２）
本実施の形態は、請求項２の実施例である。
【００２０】
図９は、本発明の形態２に係る便蓋・便座開閉具の実施例を示す斜視図である。形態１の把持部１５１の機能を持つホルダー把持部１４２がホルダー１４０に備えられている。そのため、ホルダー把持部１４２を持って上下することにより、便蓋１１０と便座１２０を開閉することができる。
【符号の説明】
【００２１】
１１０    便蓋
１２０    便座
１３０    便器
１４０    ホルダー
１４１    溝
１４２    ホルダー把持部
１５０    把持部品
１５１    把持部
１５２    つば
１５３    ホルダーとの結合部
１６０    便蓋・便座開閉具
【図１】
2015008900.tif 000003
【図２】
2015008900.tif 000004
【図３】
2015008900.tif 000005
【図４】
2015008900.tif 000006
【図５】
2015008900.tif 000007
【図６】
2015008900.tif 000008
【図７】
2015008900.tif 000009
【図８】
2015008900.tif 000010
【図９】
2015008900.tif 000011